(57)【要約】【課題】譜面を４面並べて見ることができる譜面支持具を提供する。【解決手段】譜面の裏面側を支持する裏面支持体１０と、譜面の下端部を支持する下端支持体２０とを備える。裏面支持体２０は、基本第１面部１２及び基本第２面部１３と、基本第１面部１２の基本第２面部１３と反対側に設けられた右面部１５と、基本第２面部１３の基本第１面部１２と反対側に設けられた左面部１７とを有する。基本第１面部１２と右面部１５、及び、基本第２面部１３と左面部１７との前面側における最大二面角はそれぞれ１２０度以上１６５度以下の範囲内である。【選択図】図１
0003225874.tif 000002
【実用新案登録請求の範囲】
【請求項１】
平板材よりなり、譜面の裏面側を支持する裏面支持体と、
平板材よりなり、前記裏面支持体の下側において前面側に突出するように配設され、譜面の下端部を支持する下端支持体とを備え、
前記裏面支持体は、中央折曲部を介して設けられた基本第１面部、及び、基本第２面部と、前記基本第１面部の前記基本第２面部と反対側に右折曲部を介して設けられた右面部と、前記基本第２面部の前記基本第１面部と反対側に左折曲部を介して設けられた左面部とを有し、
前記裏面支持体は、前記中央折曲部、前記右折曲部、及び、前記左折曲部において折り曲げ可能であり、前記基本第１面部と前記基本第２面部との前面側における最大二面角は１８０度以下であり、前記基本第１面部と前記右面部、及び、前記基本第２面部と前記左面部との前面側における最大二面角はそれぞれ１２０度以上１６５度以下の範囲内であり、
前記下端支持体は、前記基本第１面部に上下第１折曲部を介して設けられた下第１面部と、前記基本第２面部に対し上下第２折曲部を介し、かつ、前記下第１面部に対し中央下折曲部を介して設けられた下第２面部と、前記右面部に対し上下右折曲部を介し、かつ、前記下第１面部に対し右下折曲部を介して設けられた下右面部と、前記左面部に対し上下左折曲部を介し、かつ、前記下第２面部に対し左下折曲部を介して設けられた下左面部とを有し、
前記下端支持体は、前記上下第１折曲部、前記上下第２折曲部、前記上下右折曲部、前記上下左折曲部、前記中央下折曲部、前記右下折曲部、及び、前記左下折曲部において折り曲げ可能である
ことを特徴とする譜面支持具。
【請求項２】
下第１面部の下右面部の側、及び、下右面部の下第１面部の側のうちの少なくとも一方には、下第１面部と下右面部とを接合するための右接合部が連続して設けられ、
下第２面部の下左面部の側、及び、下左面部の下第２面部の側のうちの少なくとも一方には、下第２面部と下左面部とを接合するための左接合部が連続して設けられた
ことを特徴とする請求項１記載の譜面支持具。
【考案の詳細な説明】
【技術分野】
【０００１】
本考案は、譜面を４面並べて見ることができる譜面支持具に関する。
【背景技術】
【０００２】
従来より、譜面台としては、例えば、譜面が載置される平板状又は枠状の載置台と、この載置台を支持する支柱と、この支柱の下端部に取り付けられた脚部とを有し、主として床に置いて用いるものが知られている（例えば、特許文献１参照）。また、譜面を載置する載置台をステー等により卓上に設置して用いる卓上型の譜面台もある。これらの譜面台の載置台は、例えば、譜面を２面並べて載置することができる大きさのものが多い。
【先行技術文献】
【特許文献】
【０００３】
【特許文献１】実開平３−９６６９９号公報
【考案の概要】
【考案が解決しようとする課題】
【０００４】
しかしながら、譜面は３頁以上にわたることも多く、４面を並べて載置することができれば、頁をめくる手間が少なくなり好ましい。
【０００５】
本考案は、このような問題に基づきなされたものであり、譜面を４面並べて見ることができる譜面支持具を提供することを目的とする。
【課題を解決するための手段】
【０００６】
本考案の譜面支持具は、平板材よりなり、譜面の裏面側を支持する裏面支持体と、平板材よりなり、裏面支持体の下側において前面側に突出するように配設され、譜面の下端部を支持する下端支持体とを備え、裏面支持体は、中央折曲部を介して設けられた基本第１面部、及び、基本第２面部と、基本第１面部の基本第２面部と反対側に右折曲部を介して設けられた右面部と、基本第２面部の基本第１面部と反対側に左折曲部を介して設けられた左面部とを有し、裏面支持体は、中央折曲部、右折曲部、及び、左折曲部において折り曲げ可能であり、基本第１面部と基本第２面部との前面側における最大二面角は１８０度以下であり、基本第１面部と右面部、及び、基本第２面部と左面部との前面側における最大二面角はそれぞれ１２０度以上１６５度以下の範囲内であり、下端支持体は、基本第１面部に上下第１折曲部を介して設けられた下第１面部と、基本第２面部に対し上下第２折曲部を介し、かつ、下第１面部に対し中央下折曲部を介して設けられた下第２面部と、右面部に対し上下右折曲部を介し、かつ、下第１面部に対し右下折曲部を介して設けられた下右面部と、左面部に対し上下左折曲部を介し、かつ、下第２面部に対し左下折曲部を介して設けられた下左面部とを有し、下端支持体は、上下第１折曲部、上下第２折曲部、上下右折曲部、上下左折曲部、中央下折曲部、右下折曲部、及び、左下折曲部において折り曲げ可能であるものである。
【考案の効果】
【０００７】
本考案の譜面支持具によれば、例えば、裏面支持体及び下端支持体を広げて譜面台等に載置することにより、譜面台等の載置台の幅を広げることができ、譜面を４面並べて見ることができる。また、裏面支持体において、基本第１面部と右面部、及び、基本第２面部と左面部との最大二面角をそれぞれ１２０度以上１６５度以下とするようにしたので、右面部及び左面部が内側に向いた状態とすることができる。よって、基本第１面部及び基本第２面部の正面に演奏者等が位置した時に、右面部及び左面部が演奏者等の方に向くので、演奏者等から遠い位置にある右面部及び左面部についても、容易に見ることができる。更に、裏面支持体及び下端支持体は折りたたむことができるので、折りたたむことにより、持ち運び及び保管を容易とすることができ、また、中に譜面を入れて持ち運び及び保管をすることもできる。
【図面の簡単な説明】
【０００８】
【図１】本考案の一実施の形態に係る譜面支持具の構成を表す図である。
【図２】図１に示した譜面支持具を下から見た構成を表すものである。
【考案を実施するための形態】
【０００９】
以下、本考案の実施の形態について、図面を参照して詳細に説明する。
【００１０】
図１は、本考案の一実施の形態に係る譜面支持具１の構成を表すものである。図２は譜面支持部１を下から見た構成を表すものである。この譜面支持具１は、平板材よりなり、譜面の裏面側を支持する裏面支持体１０と、平板材よりなり、裏面支持体１０の下側において前面側（譜面が位置する側）に突出するように配設され、譜面の下端部を支持する下端支持体２０とを備えている。平板材は、例えば、厚紙やプラスチックにより構成することが好ましい。平板材の厚みは、例えば、厚紙の場合、０．２ｍｍ以上であることが好ましく、０．５ｍｍ以上、更には０．６５ｍｍ以上であればより好ましく、プラスチックの場合、０．２ｍｍ以上であることが好ましく、０．３ｍｍ以上であればより好ましい。ある程度の強度を得ることができるからである。また、平板材は厚くてもよいが、必要以上に厚くする必要はなく、２ｍｍ以下とすることが好ましい。厚くなりすぎると持ち運び及び保管が不便になるからである。
【００１１】
裏面支持体１０は、中央折曲部１１を介して設けられた基本第１面部１２、及び、基本第２面部１３と、基本第１面部１２の基本第２面部１３と反対側に右折曲部１４を介して設けられた右面部１５と、基本第２面部１３の基本第１面部１２と反対側に左折曲部１６を介して設けられた左面部１７とを有している。裏面支持体１０は、中央折曲部１１、右折曲部１４、及び、左折曲部１６において折り曲げ可能とされている。裏面支持体１０を広げた時において、基本第１面部１２と基本第２面部１３との前面側における最大二面角は１８０度であり、基本第１面部１２と右面部１５、及び、基本第２面部１３と左面部１７との前面側における最大二面角は、それぞれ１２０度以上１６５度以下の範囲内である。より好ましくは、基本第１面部１２と右面部１５、及び、基本第２面部１３と左面部１７との前面側における最大二面角は、それぞれ１３５度以上１６０度以下の範囲内であるである。なお、二面角というのは、２つの平面がなす角度である。
【００１２】
すなわち、基本第１面部１２と基本第２面部１３とは、中央折曲部１１において折り曲げることが可能であり、かつ、広げた時に前面側における二面角が１８０度の状態、すなわち平面の状態とすることが可能とされている。基本第１面部１２と右面部１５とは、右折曲部１４において前面側を内側にして折り曲げることが可能であり、かつ、前面側における二面角が１２０度以上１６５度以下の範囲内まで広げることが可能とされている。基本第２面部１３と左面部１７とは、左折曲部１６において前面側を内側にして折り曲げることが可能であり、かつ、前面側における二面角が１２０度以上１６５度以下の範囲内まで広げることが可能とされている。これにより、裏面支持体１０を広げた時に右面部１５及び左面部１７が内側に向いた状態となるように構成されている。
【００１３】
裏面支持体１０の幅方向の長さ（基本第１面部１２、基本第２面部１３、右面部１５、及び、左面部１７の幅方向の長さの合計）は、例えば、９０ｃｍ以上１２０ｃｍ以下の範囲内とすることが好ましい。楽譜を４面並べて配置できるようにするためである。基本第１面部１２、基本第２面部１３、右面部１５、及び、左面部１７の幅方向の長さは、同一でもよいが異なっていてもよい。例えば、右面部１５及び左面部１７の幅方向の長さを基本第１面部１２及び基本第２面部１３の幅方向の長さよりも短くするようにすれば、右面部１５及び左面部１７を内側にして折り曲げやすいからである。基本第１面部１２、基本第２面部１３、右面部１５、及び、左面部１７の高さ方向の長さは、例えば、同一であり、３５ｃｍ以上４０ｃｍ以下の範囲内とすることが好ましい。
【００１４】
下端支持体２０は、基本第１面部１２に上下第１折曲部３１を介して設けられた下第１面部２１と、基本第２面部１３に対し上下第２折曲部３２を介し、かつ、下第１面部２１に対し中央下折曲部２２を介して設けられた下第２面部２３とを有している。また、下端支持体２０は、右面部１５に対し上下右折曲部３３を介し、かつ、下第１面部２１に対し右下折曲部２４を介して設けられた下右面部２５と、左面部１７に対し上下左折曲部３４を介し、かつ、下第２面部２３に対し左下折曲部２６を介して設けられた下左面部２７とを有している。下端支持体２０は、上下第１折曲部３１、上下第２折曲部３２、上下右折曲部３３、上下左折曲部３４、中央下折曲部２２、右下折曲部２４、及び、左下折曲部２６において折り曲げ可能とされている。
【００１５】
基本第１面部１２と下第１面部２１、基本第２面部１３と下第２面部２３、右面部１５と下右面部２５、及び、左面部１７と下左面部２７との前面側における最大二面角は、それぞれ８０度以上１００度以下の範囲内であることが好ましい。下第１面部２１、下第２面部２３、下右面部２５、及び、下左面部２７の突出方向における長さは、例えば、それぞれ３ｃｍ以上５ｃｍ以下の範囲内であることが好ましい。一定の強度を保持することができるからである。
【００１６】
譜面支持具１は、例えば、１枚の平面材により構成されていることが好ましい。下第１面部２１の下右面部２５の側、及び、下右面部２５の下第１面部２１の側のうちの少なくとも一方には、例えば、下第１面部２１と下右面部２５とを接合するための右接合部２８が連続して設けられていることが好ましい。右接合部２８は、下右面部２５又は下第１面部２１と接合するようにしてもよく、また、下第１面部２１の側の右接合部２８と下右面部２５の側の右接合部２８とを互いに接合するようにしてもよい。なお、図２では、下第１面部２１の下右面部２５の側、及び、下右面部２５の下第１面部２１の側にそれぞれ右接合部２８を設け、右接合部２８と下右面部２５及び下第１面部２１と接合する場合について示している。これにより、基本第１面部１２と右面部１５との前面側における最大二面角が１２０度以上１６５度以下の範囲内となるように固定される。
【００１７】
また、下第２面部２３の下左面部２７の側、及び、下左面部２７の下第２面部２３の側のうちの少なくとも一方には、例えば、下第２面部２３と下左面部２７とを接合するための左接合部２９が連続して設けられていることが好ましい。接合部２９は、下左面部２７又は下第２面部２３と接合するようにしてもよく、また、下第２面部２３の側の接合部２９と下左面部２７の側の接合部２９とを互いに接合するようにしてもよい。なお、図２では、下第２面部２３の下左面部２７の側、及び、下左面部２７の下第２面部２３の側にそれぞれ接合部２９を設け、接合部２９と下左面部２７及び下第２面部２３と接合する場合について示している。これにより、基本第２面部１３と左面部１７との前面側における最大二面角が１２０度以上１６５度以下の範囲内となるように固定される。
【００１８】
この譜面支持具１は、例えば、次にようにして形成することができる。まず、例えば、１枚の平面材を用意し、所定の大きさに切断する。次いで、中央折曲部１１、右折曲部１４、左折曲部１６、上下第１折曲部３１、上下第２折曲部３２、上下右折曲部３３、上下左折曲部３４、及び、中央下折曲部２２の該当箇所に折り目を付ける。続いて、例えば、下第１面部２１と下右面部２３との間、及び、下第２面部２３と下左面部２７との間に切り目又は切り欠きを入れる。次に、例えば、右折曲部１４、上下第１折曲部３１、及び、上下右折曲部３３を内側に折り曲げて、下第１面部２１の下右面部２５の側、及び、下右面部２５の下第１面部２１の側のうちの少なくとも一方に設けられた右接合部２８と、下右面部２５あるいは下第１面部２１とを接合するか、又は、右接合部２８同士を接合する。また、例えば、左折曲部１６、上下第２折曲部３２、及び、上下左折曲部３４を内側に折り曲げて、下第２面部２３の下左面部２７の側、及び、下左面部２７の下第２面部２３の側のうちの少なくとも一方に設けられた左接合部２９と、下左面部２７あるいは下第２面部２３とを接合するか、又は、左接合部２９同士を接合する。これにより、譜面支持具１が得られる。
【００１９】
この譜面支持具１は、例えば、裏面支持体１０及び下端支持体２０を広げて、譜面台に載置したり、又は、任意の支持台に載置して用いることができる。また、持ち運びや保管の際には折りたたんでもよく、中に譜面を入れてもよい。
【００２０】
このように本実施の形態によれば、例えば、裏面支持体１０及び下端支持体２０を広げて譜面台等に載置することにより、譜面台等の載置台の幅を広げることができ、譜面を４面並べて見ることができる。また、裏面支持体１０において、基本第１面部１２と右面部１５、及び、基本第２面部１３と左面部１７との最大二面角をそれぞれ１２０度以上１６５度以下とするようにしたので、右面部１５及び左面部１７が内側に向いた状態とすることができる。よって、基本第１面部１２及び基本第２面部１３の正面に演奏者等が位置した時に、右面部１５及び左面部１７が演奏者等の方に向くので、演奏者等から遠い位置にある右面部１５及び左面部１７についても、容易に見ることができる。更に、裏面支持体１０及び下端支持体２０は折りたたむことができるので、折りたたむことにより、持ち運び及び保管を容易とすることができ、また、中に譜面を入れて持ち運び及び保管をすることもできる。
【００２１】
以上、実施の形態を挙げて本考案を説明したが、本考案は上記実施の形態に限定されるものではなく、種々変形可能である。上記実施の形態では、各構成要素について具体的に説明したが、全ての構成要素を備えていなくてもよく、また、他の構成要素を備えていてもよい。
【符号の説明】
【００２２】
１…譜面支持具、１０…裏面支持体、１１…中央折曲部、１２…基本第１面部、１３…基本第２面部、１４…右折曲部、１５…右面部、１６…左折曲部、１７…左面部、２０…下端支持体、２１…下第１面部、２２…中央下折曲部、２３…下第２面部、２４…右下折曲部、２５…下右面部、２６…左下折曲部、２７…下左面部、２８…右接合部、２９…左接合部、３１…上下第３折曲部、３２…上下第２折曲部、３３…上下右折曲部、３４…上下左折曲部
【図１】
0003225874.tif 000003
【図２】
0003225874.tif 000004